(57)【特許請求の範囲】
【請求項１】
媒体に記録を行う記録部を備えた装置本体に対して回動軸を介して開閉可能に設けられ、閉じた姿勢である第１姿勢と開いた姿勢である第２姿勢との間で回動可能な回動体と、
前記回動体を開き方向に付勢する付勢手段と、
前記付勢手段による前記回動体への付勢力の作用を、前記第１姿勢と前記第２姿勢との間の姿勢である第３姿勢から、前記第２姿勢に向かう範囲において解除する付勢解除手段と、を備え、
前記付勢解除手段は、前記付勢手段の付勢力が常時作用する第１ギアと、
前記回動体が前記第１姿勢から前記第２姿勢に向かう際の前記第１ギアの回転を前記第３姿勢で停止させる回転停止手段と、
前記第１ギアと係合し、前記第１ギアの回転を前記回動体に伝達する第２ギアと、を備える、
ことを特徴とする記録装置。
【請求項２】
請求項１に記載の記録装置において、前記第１ギアと前記第２ギアとの間には、前記第２ギアが前記第１ギアから独立して回転可能とする遊びが設けられ、前記遊びにより、前記回動体が前記付勢手段の付勢力を受けることなく前記第３姿勢と前記第２姿勢との間で回動する、
ことを特徴とする記録装置。
【請求項３】
請求項２に記載の記録装置において、前記回動体は、前記第２ギアと噛合する噛合部を備え、
前記第２ギアと前記噛合部との間には、噛み合いの位相を決める位相決め部が設けられている、
ことを特徴とする記録装置。
【請求項４】
請求項１から請求項３のいずれか一項に記載の記録装置において、前記回動体が前記第１姿勢と前記第３姿勢との間の姿勢をとる際に前記回動体の回動に抵抗を与えるダンパーを備える、
ことを特徴とする記録装置。
【請求項５】
請求項１から請求項４のいずれか一項に記載の記録装置において、前記付勢手段は、前記回動体が前記第３姿勢をとる状態において弾性エネルギーを有する、
ことを特徴とする記録装置。
【請求項６】
請求項１から請求項５のいずれか一項に記載の記録装置において、前記回動体の前記第３姿勢と前記第２姿勢との間で前記回動体の姿勢を保持する姿勢保持手段を備える、
ことを特徴とする記録装置。
【請求項７】
原稿を読み取る読み取り部を備えた装置本体に対して回動軸を介して開閉可能に設けられ、閉じた姿勢である第１姿勢と開いた姿勢である第２姿勢との間で回動可能な回動体と、
前記回動体を開き方向に付勢する付勢手段と、
前記付勢手段による前記回動体への付勢力の作用を、前記第１姿勢と前記第２姿勢との間の姿勢である第３姿勢から、前記第２姿勢に向かう範囲において解除する付勢解除手段と、を備え、
前記付勢解除手段は、
前記付勢手段の付勢力が常時作用する第１ギアと、
前記回動体が前記第１姿勢から前記第２姿勢に向かう際の前記第１ギアの回転を前記第３姿勢で停止させる回転停止手段と、
前記第１ギアと係合し、前記第１ギアの回転を前記回動体に伝達する第２ギアと、を備える、
ことを特徴とする画像読取装置。
【請求項８】
請求項７に記載の画像読取装置において、
前記第１ギアと前記第２ギアとの間には、前記第２ギアが前記第１ギアから独立して回転可能とする遊びが設けられ、前記遊びにより、前記回動体が前記付勢手段の付勢力を受けることなく前記第３姿勢と前記第２姿勢との間で回動する、
ことを特徴とする画像読取装置。
【発明の詳細な説明】
【技術分野】
【０００１】
本発明は、媒体に記録を行う記録装置に関する。また本発明は、原稿の画像を読み取る画像読取装置に関する。
【背景技術】
【０００２】
以下、記録装置の一例としてのインクジェットプリンターを例に説明する。インクジェットプリンターは、被記録媒体の一例としての用紙に記録を行う記録機構部の上部にスキャナーを備えた、所謂複合機と呼ばれるタイプがある。またこのタイプのインクジェットプリンターには、特許文献１に示される様に、チルトできる操作パネルを備えたものもある。
【先行技術文献】
【特許文献】
【０００３】
【特許文献１】特開２０１３−２０９１９０号公報
【発明の概要】
【発明が解決しようとする課題】
【０００４】
特許文献１記載のインクジェットプリンターは、モーターの動力によって操作パネルをチルトさせる。しかしながらモーターの動力により操作パネルをチルトさせる構成では、場合により、耳障りな動作音が発生する虞がある。  
また、操作パネルには、自動でのチルト範囲と、手動でのチルト範囲とを設けたい要請もある。従来のチルト可能な操作パネルを備えたインクジェットプリンターでは、上述の問題と要請の双方に対応することができなかった。
【０００５】
そこで本発明はこの様な問題に鑑み成されたものであり、その目的は、耳障りな駆動音を抑えるとともに、回動体或いは移動体の操作の自由度に考慮された装置を提供することにある。
【課題を解決するための手段】
【０００６】
上記課題を解決する為の、本発明の第１の態様に係る記録装置は、媒体に記録を行う記録部を備えた装置本体に対して回動軸を介して開閉可能に設けられ、閉じた姿勢である第１姿勢と開いた姿勢である第２姿勢との間で回動可能な回動体と、前記回動体を開き方向に付勢する付勢手段と、前記付勢手段による前記回動体への付勢力の作用を、前記第１姿勢と前記第２姿勢との間の姿勢である第３姿勢から、前記第２姿勢に向かう範囲において解除する付勢解除手段とを備えることを特徴とする。
【０００７】
本態様によれば、前記回動体は、前記付勢手段の付勢力により開き方向に回動するので、モーター等の駆動源を利用して回動体を開かせる構成に比して耳障りな駆動音を抑えることができる。  
また、前記付勢手段の付勢力は、前記回動体が前記第３姿勢から前記第２姿勢に向かう範囲では前記付勢解除手段によって前記回動体に作用しない為、前記回動体の操作の自由度を確保することができる。
【０００８】
本発明の第２の態様は、第１の態様において、前記付勢解除手段は、前記付勢手段の付勢力が常時作用する第１ギアと、前記回動体が前記第１姿勢から前記第２姿勢に向かう際の前記第１ギアの回転を前記第３姿勢で停止させる回転停止手段と、前記第１ギアと係合し、前記第１ギアの回転を前記回動体に伝達する第２ギアと、を備え、前記第１ギアと前記第２ギアとの間には、前記第２ギアが前記第１ギアから独立して回転可能とする遊びが設けられ、前記遊びにより、前記回動体が前記付勢手段の付勢力を受けることなく前記第３姿勢と前記第２姿勢との間で回動することを特徴とする。
【０００９】
本態様によれば、前記第１ギアと前記第２ギアとの間に設けた遊びにより、前記回動体が前記付勢手段の付勢力を受けることなく前記第３姿勢と前記第２姿勢との間で回動する構成であるので、前記付勢解除手段を、構造簡単にして且つ低コストに構成できる。
【００１０】
本発明の第３の態様は、第２の態様において、前記回動体は、前記第２ギアと噛合する噛合部を備え、前記第２ギアと前記噛合部との間には、噛み合いの位相を決める位相決め部が設けられていることを特徴とする。
【００１１】
本態様によれば、前記回動体は、前記第２ギアと噛合する噛合部を備え、前記第２ギアと前記噛合部との間には、噛み合いの位相を決める位相決め部が設けられているので、前記第２ギアと前記噛合部との間の位相を、作業性容易に、適切な状態に設定することができる。
【００１２】
本発明の第４の態様は、第１から第３の態様のいずれかにおいて、前記回動体が前記第１姿勢と前記第３姿勢との間の姿勢をとる際に前記回動体の回動に抵抗を与えるダンパーを備えることを特徴とする。
【００１３】
本態様によれば、前記回動体が前記第１姿勢と前記第３姿勢との間の姿勢をとる際に前記回動体の回動に抵抗を与えるダンパーを備えるので、前記回動体が前記付勢手段の付勢力により回動する際の勢いを抑制でき、静音化を図ることができる。
【００１４】
本発明の第５の態様は、第１から第４の態様のいずれかにおいて、前記付勢手段は、前記回動体が前記第３姿勢をとる状態において弾性エネルギーを有することを特徴とする。  
本態様によれば、前記付勢手段は、前記回動体が前記第３姿勢をとる状態において弾性エネルギーを有するので、前記回動体が第１姿勢から前記第３姿勢に向けて開こうとする際、前記第３姿勢の手前で停止してしまう不具合を回避でき、より確実に前記回動体を前記第１姿勢から前記第３姿勢へと切り換えることができる。
【００１５】
本発明の第６の態様は、第１から第５の態様のいずれかにおいて、前記回動体の前記第３姿勢と前記第２姿勢との間で前記回動体の姿勢を保持する姿勢保持手段を備えることを特徴とする。  
本態様によれば、前記回動体の前記第３姿勢と前記第２姿勢との間で前記回動体の姿勢を保持することができる。
【００１６】
本発明の第７の態様に係る記録装置は、媒体に記録を行う記録部を備えた装置本体において、第１位置と、前記第１位置より前記装置本体から突出する位置である第２位置と、の間を移動可能な移動体と、前記移動体を突出方向に付勢する付勢手段と、前記付勢手段による前記移動体への付勢力の作用を、前記第１位置と前記第２位置との間の位置である第３位置から、前記第２位置に向かう範囲において解除する付勢解除手段とを備えることを特徴とする。
【００１７】
本態様によれば、前記移動体は、前記付勢手段の付勢力により突出方向に移動するので、モーター等の駆動源を利用して移動体を突出させる構成に比して耳障りな駆動音を抑えることができる。  
また、前記付勢手段の付勢力は、前記付勢解除手段により前記移動体が前記第３位置から前記第２位置に向かう範囲では前記移動体に作用しない為、前記移動体の操作の自由度を確保することができる。
【００１８】
本発明の第８の態様に係る画像読取装置は、原稿を読み取る読み取り部を備えた装置本体に対して回動軸を介して開閉可能に設けられ、閉じた姿勢である第１姿勢と開いた姿勢である第２姿勢との間で回動可能な回動体と、前記回動体を開き方向に付勢する付勢手段と、前記付勢手段による前記回動体への付勢力の作用を、前記第１姿勢と前記第２姿勢との間の姿勢である第３姿勢から、前記第２姿勢に向かう範囲において解除する付勢解除手段とを備えることを特徴とする。
【００１９】
本態様によれば、前記回動体は、前記付勢手段の付勢力により開き方向に回動するので、モーター等の駆動源を利用して回動体を開かせる構成に比して耳障りな駆動音を抑えることができる。  
また、前記付勢手段の付勢力は、前記付勢解除手段により前記回動体が前記第３姿勢から前記第２姿勢に向かう範囲では前記回動体に作用しない為、前記回動体の操作の自由度を確保することができる。
【００２０】
本発明の第９の態様に係る画像読取装置は、原稿を読み取る読み取り部を備えた装置本体において、第１位置と、前記第１位置より前記装置本体から突出する位置である第２位置と、の間を移動可能な移動体と、前記移動体を突出方向に付勢する付勢手段と、前記付勢手段による前記移動体への付勢力の作用を、前記第１位置と前記第２位置との間の位置である第３位置から、前記第２位置に向かう範囲において解除する付勢解除手段とを備えることを特徴とする。
【００２１】
本態様によれば、前記移動体は、前記付勢手段の付勢力により突出方向に移動するので、モーター等の駆動源を利用して移動体を突出させる構成に比して耳障りな駆動音を抑えることができる。  
また、前記付勢手段の付勢力は、前記付勢解除手段により前記移動体が前記第３位置から前記第２位置に向かう範囲では前記移動体に作用しない為、前記移動体の操作の自由度を確保することができる。
【図面の簡単な説明】
【００２２】
【図１】本発明に係るプリンターにおいて操作部が第１姿勢の状態を示す外観斜視図。
【図２】本発明に係るプリンターにおいて操作部が第３姿勢の状態を示す外観斜視図。
【図３】本発明に係るプリンターにおける媒体の搬送経路を示す側断面図。
【図４】本発明に係るプリンターにおいて操作部が第２姿勢の状態を示す外観斜視図。
【図５】本発明に係る操作部、付勢手段、付勢解除手段及び姿勢保持手段を示す斜視図。
【図６】本発明に係る付勢手段及び付勢解除手段を示す斜視図。
【図７】本発明に係る付勢手段及び付勢解除手段の分解斜視図。
【図８】第１ギア及び第２ギアの構造を示す分解斜視図。
【図９】第１ギア及び第２ギアの構造を示す分解斜視図。
【図１０】操作部が第１姿勢を取る際の操作部と第２ギアとの関係を示す側断面図。
【図１１】操作部が第３姿勢を取る際の操作部と第２ギアとの関係を示す側断面図。
【図１２】操作部が第２姿勢を取る際の操作部と第２ギアとの関係を示す側断面図。
【図１３】操作部が第１姿勢を取る際の回転停止手段の状態を示す側断面図。
【図１４】操作部が第３姿勢を取る際の回転停止手段の状態を示す側断面図。
【図１５】本発明に係る付勢手段及び付勢解除手段の組立工程における第１の状態を示す斜視図。
【図１６】本発明に係る付勢手段及び付勢解除手段の組立工程における第２の状態を示す斜視図。
【図１７】本発明に係る付勢手段及び付勢解除手段の組立工程における第３の状態を示す斜視図。
【図１８】本発明に係る付勢手段及び付勢解除手段の組立工程における第４の状態を示す斜視図。
【図１９】本発明に係る付勢手段及び付勢解除手段の組立工程における第５の状態を示す斜視図。
【図２０】本発明に係る付勢手段及び付勢解除手段の組立工程における第６の状態を示す斜視図。
【図２１】本発明に係る付勢手段及び付勢解除手段の組立工程における第７の状態を示す斜視図。
【発明を実施するための形態】
【００２３】
以下、本発明の実施の形態を図面に基づいて説明する。尚、各実施例において同一の構成については、同一の符号を付し、最初の実施例においてのみ説明し、以後の実施例においてはその構成の説明を省略する。
【００２４】
図１は本発明に係るプリンターにおいて操作部が第１姿勢の状態を示す外観斜視図であり、図２は本発明に係るプリンターにおいて操作部が第３姿勢の状態を示す外観斜視図であり、図３は本発明に係るプリンターにおける媒体の搬送経路を示す側断面図であり、図４は本発明に係るプリンターにおいて操作部が第２姿勢の状態を示す外観斜視図であり、図５は本発明に係る操作部、付勢手段、付勢解除手段及び姿勢保持手段を示す斜視図であり、図６は本発明に係る付勢手段及び付勢解除手段を示す斜視図である。
【００２５】
また、図７は本発明に係る付勢手段及び付勢解除手段の分解斜視図であり、図８は第１ギア及び第２ギアの構造を示す分解斜視図であり、図９は第１ギア及び第２ギアの構造を示す分解斜視図であり、図１０は操作部が第１姿勢を取る際の操作部と第２ギアとの関係を示す側断面図であり、図１１は操作部が第３姿勢を取る際の操作部と第２ギアとの関係を示す側断面図であり、図１２は操作部が第２姿勢を取る際の操作部と第２ギアとの関係を示す側断面図である。
【００２６】
また、図１３は操作部が第１姿勢を取る際の回転停止手段の状態を示す側断面図であり、図１４は操作部が第３姿勢を取る際の回転停止手段の状態を示す側断面図であり、図１５は本発明に係る付勢手段及び付勢解除手段の組立工程における第１の状態を示す斜視図であり、図１６は本発明に係る付勢手段及び付勢解除手段の組立工程における第２の状態を示す斜視図であり、図１７は本発明に係る付勢手段及び付勢解除手段の組立工程における第３の状態を示す斜視図であり、図１８は本発明に係る付勢手段及び付勢解除手段の組立工程における第４の状態を示す斜視図である。
【００２７】
また、図１９は本発明に係る付勢手段及び付勢解除手段の組立工程における第５の状態を示す斜視図であり、図２０は本発明に係る付勢手段及び付勢解除手段の組立工程における第６の状態を示す斜視図であり、図２１は本発明に係る付勢手段及び付勢解除手段の組立工程における第７の状態を示す斜視図である。
【００２８】
また、各図において示すＸ−Ｙ−Ｚ座標系はＸ方向がキャリッジの主走査方向（移動方向）、すなわち記録装置の幅方向、Ｙ方向が記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２９】
■■■実施例■■■■
＜＜＜プリンターの概要＞＞＞
図１を参照するに、プリンター１０は、装置本体１２と、装置本体１２の上部に設けられた、「読み取り部」としてのスキャナ部１４とを備えている。装置本体１２の装置前面側には「回動体」あるいは「移動体」としての操作部１６が装置本体１２に対して回動可能に設けられている。操作部１６には表示パネル等の表示手段１８が設けられている。
【００３０】
本実施例において、操作部１６は、回動軸１６ａ（図５ないし図７参照）を支点として装置本体１２の装置前面側に向けて回動するように構成されている。本実施例において、操作部１６は装置本体１２に対して「第１位置」としての第１姿勢（図１参照）と、「第２位置」としての第２姿勢（図４参照）と、「第３位置」としての第３姿勢（図２参照）とを切換え可能に取り得る。尚、操作部１６については後ほど詳細に説明する。
【００３１】
装置本体１２の装置前面側において操作部１６の下方にはカバー２０が配置されている。また、装置本体１２には排紙トレイ２２が設けられている。排紙トレイ２２は、装置本体１２内に収容された状態（図１参照）と装置本体１２の装置前面側に展開した状態（図２参照）とを切換え可能に構成されている。
【００３２】
また、装置本体１２の背面側の上部にはカバー２４が回動可能に取り付けられている。カバー２４は、図１に示す装置本体１２に対して閉じた状態と、装置本体１２に対して開いた状態（不図示）とを切換え可能に構成されている。カバー２４を装置本体１２に対して開いた状態とすると、矢印Ａの向きに媒体を装置本体１２内に差し入れることができ、差し入れられた媒体は、図３に示す傾斜した媒体案内経路２６に案内されて、搬送方向下流側に送られる。
【００３３】
＜＜＜スキャナ部について＞＞＞
また、図３に示すように装置本体１２の上部にはスキャナ部１４が設けられている。スキャナ部１４には、原稿台２８が設けられている。原稿台２８は、一例として透明なガラス板で形成され、その上面に原稿を載置可能に構成されている。
【００３４】
また、スキャナ部１４には、スキャナ部１４の上部を開閉するカバー３０が設けられている。カバー３０は、閉じた状態（図１及び図２参照）では、原稿台２８を覆っており、開いた状態（不図示）では原稿台２８を露出させる。すなわち、原稿台２８に対してカバー３０を回動させて開いた状態とし、原稿台２８を露出させ、その上面に原稿をセットし、カバー３０を閉じることで、原稿台２８において原稿の読み取りが可能となる。尚、原稿台２８の下方には原稿台２８にセットされた原稿を読み取り可能な読み取り手段（不図示）が設けられている。
【００３５】
＜＜＜媒体搬送経路について＞＞＞
次いで、図２を参照するに装置本体１２の下部には、媒体を収容する媒体収容部３２が設けられている。本実施例において、媒体収容部３２は装置本体１２に対して装置前面側から装置本体１２に着脱可能に構成されている。また、カバー２０は媒体収容部３２に対して回動可能に取り付けられている。また、符号Ｐが付された太い実線は、媒体収容部３２から排紙トレイ２２までの媒体搬送経路３４に沿って搬送される媒体の案内経路を示している。
【００３６】
本実施例において、装置本体１２内には、媒体搬送経路３４に沿ってピックアップローラー３６、反転ローラー３８、従動ローラー４０ａ、４０ｂ、４０ｃ、搬送ローラー対４２、記録部４４及び排出ローラー対４６の順に設けられている。ピックアップローラー３６は、回動軸４８を支点に回動可能に、媒体収容部３２の上方に配置されている。そして、ピックアップローラー３６により媒体収容部３２から給送された媒体は、反転ローラー３８と従動ローラー４０ａ、４０ｂとにニップされて、搬送ローラー対４２に搬送される。
【００３７】
搬送ローラー対４２は媒体を記録部４４に搬送する。本実施例において記録部４４は、キャリッジ５０と、記録ヘッド５２と、媒体案内部材５４とを備えている。本実施例においてキャリッジ５０は、装置幅方向に往復動可能に構成されている。そして、キャリッジ５０の下部には、記録ヘッド５２が設けられている。本実施例において記録ヘッド５２は装置高さ方向下方側に向けてインクを吐出するように構成されている。
【００３８】
また、記録ヘッド５２の下方において、記録ヘッド５２と対向する領域に媒体案内部材５４が設けられている。媒体案内部材５４は、記録ヘッド５２と対向し、記録ヘッド５２と間隔をおいて配置されている。媒体案内部材５４は、搬送ローラー対４２により記録ヘッド５２と対向する領域に搬送されてきた媒体の下面（記録面と反対側の面）を支持する。そして、記録ヘッド５２は、媒体案内部材５４により支持された媒体に対してインクを吐出し、媒体の記録面に記録を実行する。
【００３９】
そして、記録が実行された媒体は、記録部４４の搬送方向下流側に設けられた排出ローラー対４６にニップされて、装置前面側に突出している排紙トレイ２２に向けて排紙される。
【００４０】
また、カバー２４を開いて、プリンター１０の上方から差し入れられた媒体は、媒体案内経路２６に案内されて記録部４４に搬送され、記録部４４において記録が行われる。そして、記録が行われた後、排紙トレイ２２に排出される。
【００４１】
また、記録部４４において媒体の第１面（記録面）に記録が実行された後、第１面と反対の側の第２面（下面）に記録を行う場合、搬送ローラー対４２を逆転させて、媒体を搬送方向上流側に搬送する。搬送方向上流側に搬送される媒体は、反転ローラー３８と従動ローラー４０ｃとにニップされる。そして、媒体は反転ローラー３８により、第１面と第２面とを反転させられて、再度記録部４４に搬送され、記録部４４において第２面の記録が実行された後、排紙トレイ２２に向けて排出される。
【００４２】
＜＜＜操作部について＞＞＞
図１、図２及び図４を参照するに、本実施例に係る操作部１６は、装置本体１２に対して閉じた姿勢である第１姿勢（図１）と、第１姿勢から装置本体１２に対して、「開き方向」としての装置奥行き方向前方側に回動し、全開状態となった第２姿勢（図４）と、第１姿勢と第２姿勢との間の姿勢である第３姿勢（図２）とを切換え可能に構成されている。尚、本実施例において、操作部１６は、一例として後述する付勢手段５６の付勢力により第１姿勢から第３姿勢へと切換えられ、第３姿勢から第２姿勢への切換えはユーザーが操作するように設定されている。
【００４３】
尚、本実施例では、一例として操作部１６において第２姿勢は第１姿勢に対して装置奥行き方向前方側に約９０度回動した姿勢であり、第３姿勢は第１姿勢に対して装置奥行き方向前方側に約４５度回動した姿勢に設定されている。
【００４４】
＜＜＜付勢手段及び付勢解除手段について＞＞＞
そして、図５ないし図１４及び図２１を参照して、操作部１６の姿勢を切換える切換え手段について説明する。図５を参照するに、操作部１６の装置幅方向左側端部（図５における＋Ｘ軸方向側）には、付勢手段５６及び付勢解除手段５８が設けられている。また、操作部１６の装置幅方向右側端部（図５における−Ｘ軸方向側）には姿勢保持手段６０が設けられている。
【００４５】
本実施例において、操作部１６は装置本体１２の装置奥行き方向前方側に配置されている。そして、付勢手段５６、付勢解除手段５８及び姿勢保持手段６０は、図３における装置奥行き方向において操作部１６と記録部４４、すなわちキャリッジ５０との間の領域に配置されている。
【００４６】
図６及び図７を参照して、付勢手段５６及び付勢解除手段５８について説明する。本実施例において、付勢手段５６は、一例としてねじりばねとして構成されている。また、付勢解除手段５８は、駆動軸６２と、第１ギア６４と、第２ギア６６と、第３ギア６８と、軸受部材７０とを備えている。また、本実施例において、第３ギア６８と軸受部材７０とは回転停止手段７２を構成している。
【００４７】
図７に示すように、駆動軸６２は、一端が係合部６２ａとして構成され、他端が駆動ギア６２ｂとして構成され、係合部６２ａと駆動ギア６２ｂとの間は、軸部６２ｃとして構成されている。そして、本実施例において駆動軸６２は、ねじりばねとして構成された付勢手段５６に挿入されている。図６に示すように装置幅方向において付勢手段５６は、係合部６２ａと駆動ギア６２ｂとの間、すなわち軸部６２ｃに配置されている。
【００４８】
また、係合部６２ａには第３ギア６８が取り付けられている。そして、駆動軸６２が回転すると、第３ギア６８も駆動軸６２と同じ方向に一体で回転する。また、付勢手段５６の一端部５６ａは第３ギアと係合している。
【００４９】
また、図２１を参照するに、本実施例において駆動軸６２及び第３ギア６８は、装置本体１２において装置奥行き方向前方側に配置された支持部材７４に回転可能に軸支されている。そして、付勢手段５６の他端部５６ｂは支持部材７４の係合部７４ａと係合している。つまり、支持部材７４の係合部７４ａは付勢手段５６の他端部５６ｂを受けている。
【００５０】
本実施例では、駆動軸６２及び第３ギア６８を図１０における時計回り方向に回転させると、ねじりばねである付勢手段５６の弾性エネルギーが増大する。逆に駆動軸６２及び第３ギア６８を図１０における反時計回り方向に回転させると、ねじりばねである付勢手段５６の弾性エネルギーが解放されて減少する。
【００５１】
駆動ギア６２ｂは、図６に示すように第１ギア６４と噛合している。図８及び図９を参照するに、第１ギア６４はギア部６４ａと、凸状部６４ｂと、軸受け６４ｃと、位相決め穴６４ｄとを備えている。軸受け６４ｃは第１ギア６４の中心部において貫通孔として形成されている。また、位相決め穴６４ｄは第１ギア６４の軸線方向に沿って第１ギア６４を貫通している。凸状部６４ｂは、第１ギア６４において第２ギア６６と対向する側の面に形成されている。
【００５２】
さらにギア部６４ａの周方向において一部の歯が切り取られた形状、歯と歯との間隔が他の歯同士の間隔よりも大きく設定されている切欠き部６４ｅが形成されている。一方、駆動軸６２の駆動ギア６２ｂには、他の歯よりも歯幅が大きく設定されている位相決め歯６２ｄが形成されている。そして、位相決め歯６２ｄと切欠き部６４ｅとが噛み合い、駆動ギア６２ｂと第１ギア６４との間における噛み合いの位相を決めている。すなわち、本実施例において位相決め歯６２ｄと切欠き部６４ｅとは、第１の位相決め部７６を構成している。
【００５３】
第２ギア６６は、ギア部６６ａと、凹状部６６ｂと、軸受け６６ｃと、位相決め穴６６ｄとを備えている。軸受け６６ｃは第２ギア６６の中心部において貫通孔として形成されている。また、位相決め穴６６ｄは第２ギア６６の軸線方向に沿って第１ギア６４を貫通している。凹状部６６ｂは、第２ギア６６において第１ギア６４と対向する側の面に形成されている。
【００５４】
尚、本実施例では、第１ギア６４の軸受け６４ｃ及び第２ギア６６の軸受け６６ｃには軸部材６７（図１０ないし図１２参照）が挿入されている。そして、第１ギア６４の軸受け６４ｃ及び第２ギア６６の軸受け６６ｃは、それぞれ軸部材６７の回りを回動可能である。尚、図５ないし図９において軸部材６７の図示を省略している。また、図６に示すように付勢解除手段５８が組み上げられた状態において、第１ギア６４の凸状部６４ｂは、第２ギア６６に凹状部６６ｂに挿入されている。
【００５５】
ここで、更に図１０ないし図１２を参照して、凸状部６４ｂと凹状部６６ｂとの関係について説明する。尚、図１０は操作部１６の第１姿勢の状態、図１１は操作部１６の第２姿勢の状態、図１２は操作部１６の第３姿勢の状態を示している。
【００５６】
図９及び図１０に示すように、凹状部６６ｂは第２ギア６６の円周方向に沿って設けられている。そして、凹状部６６ｂの両端には仕切り壁６６ｅ、６６ｆが形成されている。本実施例において凸状部６４ｂは凹状部６６ｂ内において仕切り壁６６ｅと仕切り壁６６ｆとの間を移動できる。
【００５７】
つまり、凸状部６４ｂは凹状部６６ｂに対して第１ギア６４及び第２ギア６６の軸線周り方向に相対移動できる構成となっている。したがって、凹状部６６ｂは、第１ギア６４と第２ギア６６との間で、第２ギア６６が第１ギア６４から独立して回転可能とする遊びとして構成されている。
【００５８】
また、ギア部６６ａには、他の歯よりも歯幅が大きく設定されている位相決め歯６６ｇが形成されている。本実施例において操作部１６の装置幅方向左側端部には、第２ギア６６と噛み合う「噛合部」としてのギア部１６ｂが設けられている。そして、ギア部１６ｂには、その周方向において一部の歯が切り取られた形状、歯と歯との間隔が他の歯同士の間隔よりも大きく設定されている切欠き部１６ｃが形成されている。
【００５９】
そして、位相決め歯６６ｇと切欠き部１６ｃとが噛み合い、操作部１６のギア部１６ｂと第２ギア６６との間における噛み合いの位相を決めている。すなわち、本実施例において位相決め歯６６ｇと切欠き部１６ｃとは、「位相決め部」としての第２の位相決め部７８を構成している。
【００６０】
図１０を参照するに、操作部１６が第１姿勢では、第１ギア６４の凸状部６４ｂは凹状部６６ｂ内において仕切り壁６６ｅと接触している。そして、付勢手段５６の付勢力が操作部１６の開く方向に作用すると、駆動軸６２及び駆動ギア６２ｂは図１０における反時計回り方向に回転する。これにより、駆動ギア６２ｂと噛合する第１ギア６４は図１０における時計回り方向に回転する。
【００６１】
そして、凸状部６４ｂは仕切り壁６６ｅを押圧し、第２ギア６６を時計回り方向に回転させる。そして、第２ギア６６と噛合するギア部１６ｂが図１０における反時計回り方向に回動する。これにより、操作部１６は第１姿勢から第２姿勢、又は第３姿勢に向けて装置本体１２の装置奥行き方向前方側に回動する。
【００６２】
そして、図１１に示すように操作部１６は第３姿勢を取る。尚、この状態になると、後述する回転停止手段７２により駆動軸６２及び駆動ギア６２ｂの図１１における反時計回り方向への回転が規制される。したがって、駆動ギア６２ｂと噛合する第１ギア６４も図１１における反時計回り方向への回転が規制される。
【００６３】
ここで、第１ギア６４と第２ギア６６との間には遊び、すなわち、凹状部６６ｂが設けられている。ユーザーが、操作部１６を装置本体１２の装置前方側で傾斜した状態である第３姿勢、つまり第１姿勢と第２姿勢との間の姿勢から全開状態となる第２姿勢にすべく、さらに操作部１６を装置前方側に回動させると、第２ギア６６の凹状部６６ｂと凸状部６４ｂと円周方向に相対移動する。
【００６４】
具体的には操作部１６を図１１における反時計回り方向に回動させると、ギア部１６ｂも反時計回り方向に回動する。この動きに伴って、第２ギア６６は図１１における時計回り方向に回転を始める。そして、凸状部６４ｂと仕切り壁６６ｅとの当接状態が解消される。そして、凹状部６６ｂは、凸状部６４ｂに対して仕切り壁６６ｅが離間する方向、すなわち仕切り壁６６ｆが接近する方向に移動する。これにより、凸状部６４ｂは凹状部６６ｂ内において仕切り壁６６ｅ側から仕切り壁６６ｆ側へ相対移動する（図１２参照）。
【００６５】
すなわち、第１ギア６４と第２ギア６６とは、凹状部６６ｂ内における凸状部６４ｂの相対移動量に応じて互いに相対的に回転できる。これにより、回転停止手段７２により第１ギア６４の回転が規制されても、前記相対移動量に応じた角度分だけ操作部１６を回動させることができる。
【００６６】
＜＜＜回転停止手段について＞＞＞
次いで、図５、図６、図１３、図１４及び図２１を参照して回転停止手段７２について説明する。本実施例において第３ギア６８は、ギア部６８ａと、軸部６８ｂとを備えている。ギア部６８ａは、ダンパー８０に設けられたギア部８０ａと噛み合っている。本実施例においてダンパー８０は、第３ギア６８、すなわち駆動軸６２が回転する際、抵抗を与えるように構成されている。本実施例において、ダンパー８０は、公知のロータリーダンパー、揺動ダンパー等により構成されている。
【００６７】
ここで、図１３、図１４及び図２１を参照して軸部６８ｂと軸受部材７０との関係について説明する。軸受部材７０は、第３ギア６８の装置高さ方向上方側から軸部６８ｂを覆うように支持部材７４に取り付けられている。また、ダンパー８０もギア部８０ａが第３ギア６８のギア部６８ａと噛み合った状態で支持部材７４に取り付けられている。
【００６８】
図１３を参照するに第３ギア６８の軸部６８ｂには、軸部６８ｂから半径方向に突出する被回転規制部６８ｃが設けられている。また、軸受部材７０には回転規制部７０ａが設けられている。図１３は、操作部１６が第１姿勢（図１参照）における被回転規制部６８ｃと回転規制部７０ａとの関係を示している。この状態では、第３ギア６８の被回転規制部６８ｃは回転規制部７０ａと離間しており、図１３における反時計回り方向への第３ギア６８、ひいては駆動軸６２の回転が可能な状態となっている。
【００６９】
そして、操作部１６が第１姿勢から第３姿勢へと回動すると、駆動軸６２ひいては第３ギア６８が図１３及び図１４における反時計回り方向に回転する。その結果、図１４に示しように第３ギア６８の被回転規制部６８ｃは回転規制部７０ａと係合する。そして、回転規制部７０ａは第３ギア６８、ひいては駆動軸６２の図１４における反時計周り方向への回転を規制する状態となる。つまり第１ギア６４の図１１における反時計回り方向への回転が規制される。
【００７０】
尚、本実施例では、第３ギア６８の被回転規制部６８ｃと回転規制部７０ａとが当接した状態、すなわち操作部１６が第３姿勢である状態において、付勢手段５６の弾性エネルギーはその一部が残るように設定されている。つまり、付勢手段５６は操作部１６が第３姿勢の際、弾性エネルギーを有している。したがって、操作部１６を確実に第１姿勢から第３姿勢へと切換えられる。
【００７１】
また、本実施例において、操作部１６が第３姿勢である状態における付勢手段５６の弾性エネルギーの大きさ、すなわち付勢力は、操作部１６を操作入力した際に操作部１６が閉じる方向に押し込まれない大きさに設定されている。
【００７２】
＜＜＜姿勢保持手段について＞＞＞
尚、再度図５を参照するに、本実施例における姿勢保持手段６０には、ワンウェイクラッチ８２が設けられている。本実施例では、一例として公知のワンウェイクラッチが姿勢保持手段６０に組み込まれている。そして、姿勢保持手段６０のワンウェイクラッチ８２のトルクは、操作部１６が第３姿勢、又は第２姿勢から第１姿勢に向けて回動しようとする際、即ち閉じようとする際に抵抗を与えるように作用する。これにより、装置本体１２の操作部１６の姿勢を保持する。
【００７３】
また、本実施例において、操作部１６が第１姿勢を取る際、付勢手段５６の付勢力で操作部１６が予期せずに第１姿勢から第３姿勢に切り換わることを防止すべく、装置本体１２と操作部１６との間に、公知のラッチ手段（不図示）が設けられている。そして、ラッチ手段が解除されると、操作部１６は付勢手段５６の付勢力により第１姿勢から第２姿勢へと切り換わる。
【００７４】
上記説明をまとめると、本実施例では、操作部１６を付勢手段５６の付勢力を用いて開くので、すなわち駆動モーターを使用しないので、耳障りな駆動音を抑制できるとともに省電力化を図れる。また、付勢手段５６及びダンパー８０を使用して操作部１６を開くので、操作部１６の開閉動作において高級感を醸し出すことができる。また、付勢解除手段５８及び回転停止手段７２を併用することにより操作部１６を開閉させるための歯車の機構において間欠ギアや遊星ギアの様にギア同士を離間させる必要がなくなり、装置構成を簡素化できる。
【００７５】
＜＜＜付勢解除手段及び回転停止手段の組立について＞＞＞
次いで、図１５ないし図２１を参照して、付勢解除手段５８及び回転停止手段７２の組立について説明する。まず、図１５を参照するに、駆動軸６２を付勢手段５６に挿入する。そして、駆動軸６２の係合部６２ａを第３ギア６８に差し込む。この際、付勢手段５６の一端部５６ａを第３ギア６８に差し込んで固定する。
【００７６】
次いで、付勢手段５６の他端部５６ｂに対して一端部５６ａ、すなわち駆動軸６２及び第３ギア６８を規定の回転数分回転させて付勢手段５６に所定の弾性エネルギーを付与する。そして、その状態で図１６に示すように、付勢手段５６、駆動軸６２及び第３ギア６８を支持部材７４にセットする。その際、付勢手段５６の弾性エネルギーが解放しないように、駆動軸６２に設けられた治具ピン取付穴６２ｅに治具ピン８４を挿入して治具ピン８４の先端を支持部材７４に挿入する。
【００７７】
この状態において、付勢手段５６の他端部５６ｂは支持部材７４の係合部７４ａと係合する。そして、駆動軸６２及び第３ギア６８の回転は治具ピン８４を支持部材７４に挿入することにより規制されている。
【００７８】
次いで、図１７に示すように、軸受部材７０を第３ギア６８の軸部６８ｂを覆うように支持部材７４に取り付ける。次いで、ダンパー８０を、ギア部８０ａと第３ギア６８のギア部６８ａとが噛み合うように支持部材７４に取り付ける。
【００７９】
次いで、図１８を参照するに、第１ギア６４及び第２ギア６６を支持部材７４に取り付ける。この際、第１ギア６４及び第２ギア６６は軸部材６７（図１０ないし図１２参照）に通されて同軸状態で支持部材７４にセットされる。その際、第１ギア６４の切欠き部６４ｅに駆動ギア６２ｂの位相決め歯６２ｄが噛み合うように第１ギア６４を支持部材７４にセットする。つまり、第１の位相決め部７６が構成された状態となる。
【００８０】
そして、治具ピン８６を支持部材７４に対して装置幅方向左側から通す。そして、治具ピン８６を第２ギア６６の位相決め穴６６ｄ及び第１ギア６４の位相決め穴６４ｄに順に通す。これにより、第１ギア６４と第２ギア６６との位相合わせが行われる。
【００８１】
次いで、図１９を参照するに、操作部１６の背面側を構成する背面側部材１６ｄを支持部材７４に取り付ける。この際、操作部１６の回動軸１６ａを、支持部材７４に設けられた軸受部７４ｂに軸支させるように背面側部材１６ｄを支持部材７４に取り付ける。また、ギア部１６ｂにおいて切欠き部１６ｃに第２ギア６６の位相決め歯６６ｇが噛み合うように背面側部材１６ｄと第２ギア６６とを調整する。これにより、第２の位相決め部７８が構成された状態となる。
【００８２】
これにより、第１の位相決め部７６及び第２の位相決め部７８の位相と、回転停止手段７２の回転を停止させる位相とが同期する。すなわち、回転停止手段７２により駆動軸６２の回転が停止された際、操作部１６は、第３の姿勢を取るように設定される。
【００８３】
次いで、図２０に示すように、軸受部７４ｂに回動軸１６ａが軸支された状態で、回動軸１６ａの装置高さ方向上方側から軸受部材８８を支持部材７４に取り付ける。そして、図２１に示すように治具ピン８４、８６をそれぞれ支持部材７４及び付勢解除手段５８から引き抜くことにより、付勢解除手段５８及び回転停止手段７２の組立が完了する。
【００８４】
＜＜＜実施例の変更例＞＞＞
（１）本実施例では、操作部１６の装置幅方向右側に姿勢保持手段６０を設ける構成としたが、この構成に代えて、第２ギア６６と操作部１６のギア部１６ｂとの間に姿勢保持手段６０を設ける構成としてもよい。
（２）本実施例では、操作部１６の装置幅方向左側に付勢手段５６、付勢解除手段５８及び回転停止手段７２を設け、装置幅方向右側に姿勢保持手段６０を設ける構成としたが、この構成に代えて、装置幅方向右側に付勢手段５６、付勢解除手段５８及び回転停止手段７２を設け、装置幅方向左側に姿勢保持手段６０を設ける構成としてもよく、或いは、装置幅方向右側または左側に付勢手段５６、付勢解除手段５８、姿勢保持手段６０及び回転停止手段７２をまとめて配置してもよい。
（３）本実施例では、付勢手段５６、付勢解除手段５８及び回転停止手段７２を操作部１６の開閉動作に適用したが、この構成に加えて、さらにスキャナ部１４の開閉動作、媒体収容部３２の着脱動作（装置奥行き方向における進退動作）、ＣＤ−Ｒトレイ等の進退動作等に適用可能である。より具体的には、例えば、媒体収容部３２の一例であるカセットにおいて装置本体１２にセットされた状態から装置奥行き方向において機能上必要な位置までは、付勢手段５６の付勢力でストロークし、さらにユーザーが機能上必要な位置から手動でカセットをストロークさせることも可能である。
（４）また、操作部１６が第３姿勢を取る際、操作部１６と装置本体１２との間に操作部１６の回動を規制するロックを掛けるロック機構を設けてもよい。これにより、操作部１６の操作入力時において操作部１６が閉じる方向に押し込まれて操作性が低下することを抑制できる。
【００８５】
上記説明をまとめると、プリンター１０は、媒体に記録を行う記録部４４を備えた装置本体１２に対して回動軸１６ａを介して開閉可能に設けられ、閉じた姿勢である第１姿勢と開いた姿勢である第２姿勢との間で回動可能な操作部１６と、操作部１６を開き方向に付勢する付勢手段５６と、付勢手段５６による操作部１６への付勢力の作用を、第１姿勢と第２姿勢との間の姿勢である第３姿勢から、第２姿勢に向かう範囲において解除する付勢解除手段５８とを備える。
【００８６】
上記構成によれば、操作部１６は、付勢手段５６の付勢力により開き方向に回動するので、モーター等の駆動源を利用して操作部１６を開かせる構成に比して耳障りな駆動音を抑えることができる。  
また、付勢手段５６の付勢力は、操作部１６が第３姿勢から第２姿勢に向かう範囲では付勢解除手段５８によって操作部１６に作用しない為、操作部１６の操作の自由度を確保することができる。
【００８７】
付勢解除手段５８は、付勢手段５６の付勢力が常時作用する第１ギア６４と、操作部１６が第１姿勢から第２姿勢に向かう際の第１ギア６４の回転を第３姿勢で停止させる回転停止手段７２と、第１ギア６４と係合し、第１ギア６４の回転を操作部１６に伝達する第２ギア６６と、を備え、第１ギア６４と第２ギア６６との間には、第２ギア６６が第１ギア６４から独立して回転可能とする遊び、すなわち凹状部６６ｂが設けられ、凹状部６６ｂにより、操作部１６が付勢手段５６の付勢力を受けることなく第３姿勢と第２姿勢との間で回動する。
【００８８】
上記構成によれば、第１ギア６４と第２ギア６６との間に設けた遊び、すなわち凹状部６６ｂにより、操作部１６が付勢手段５６の付勢力を受けることなく第３姿勢と第２姿勢との間で回動する構成であるので、付勢解除手段５８を、構造簡単にして且つ低コストに構成できる。
【００８９】
操作部１６は、第２ギア６６と噛合するギア部１６ｂを備え、第２ギア６６とギア部１６ｂとの間には、噛み合いの位相を決める第２の位相決め部７８が設けられている。この構成によれば、第２ギア６６とギア部１６ｂとの間の位相を、作業性容易に、適切な状態に設定することができる。
【００９０】
操作部１６が第１姿勢と第３姿勢との間の姿勢をとる際に操作部１６の回動に抵抗を与えるダンパー８０を備える。この構成によれば、操作部１６が付勢手段５６の付勢力により回動する際の勢いを抑制でき、静音化を図ることができる。
【００９１】
付勢手段５６は、操作部１６が第３姿勢をとる状態において弾性エネルギーを有する。この構成によれば、操作部１６が第１姿勢から第３姿勢に向けて開こうとする際、第３姿勢の手前で停止してしまう不具合を回避でき、より確実に操作部１６を第１姿勢から第３姿勢へと切り換えることができる。
【００９２】
操作部１６の第３姿勢と第２姿勢との間で操作部１６の姿勢を保持する姿勢保持手段６０を備える。この構成によれば、操作部１６の第３姿勢と第２姿勢との間で操作部１６の姿勢を保持することができる。
【００９３】
プリンター１０は、媒体に記録を行う記録部４４を備えた装置本体１２において、第１位置と、第１位置より装置本体１２から突出する位置である第２位置と、の間を移動可能な操作部１６と、操作部１６を突出方向に付勢する付勢手段５６と、付勢手段５６による操作部１６への付勢力の作用を、第１位置と第２位置との間の位置である第３位置から、第２位置に向かう範囲において解除する付勢解除手段５８とを備える。
【００９４】
上記構成によれば、操作部１６は、付勢手段５６の付勢力により突出方向に移動するので、モーター等の駆動源を利用して操作部１６を突出させる構成に比して耳障りな駆動音を抑えることができる。また、付勢手段５６の付勢力は、付勢解除手段５８により操作部１６が第３位置から第２位置に向かう範囲では操作部１６に作用しない為、操作部１６の操作の自由度を確保することができる。
【００９５】
プリンター１０は、原稿を読み取るスキャナ部１４を備えた装置本体１２に対して回動軸１６ａを介して開閉可能に設けられ、閉じた姿勢である第１姿勢と開いた姿勢である第２姿勢との間で回動可能な操作部１６と、操作部１６を開き方向に付勢する付勢手段５６と、付勢手段５６による操作部１６への付勢力の作用を、第１姿勢と第２姿勢との間の姿勢である第３姿勢から、第２姿勢に向かう範囲において解除する付勢解除手段５８とを備える。
【００９６】
上記構成によれば、操作部１６は、付勢手段５６の付勢力により開き方向に回動するので、モーター等の駆動源を利用して回動体を開かせる構成に比して耳障りな駆動音を抑えることができる。また、付勢手段５６の付勢力は、付勢解除手段５８により操作部１６が第３姿勢から第２姿勢に向かう範囲では操作部１６に作用しない為、操作部１６の操作の自由度を確保することができる。
【００９７】
プリンター１０は、原稿を読み取るスキャナ部１４を備えた装置本体１２において、第１位置と、第１位置より装置本体１２から突出する位置である第２位置と、の間を移動可能な操作部１６と、操作部１６を突出方向に付勢する付勢手段５６と、付勢手段５６による操作部１６への付勢力の作用を、第１位置と第２位置との間の位置である第３位置から、第２位置に向かう範囲において解除する付勢解除手段５８とを備える。
【００９８】
上記構成によれば、操作部１６は、付勢手段５６の付勢力により突出方向に移動するので、モーター等の駆動源を利用して操作部１６を突出させる構成に比して耳障りな駆動音を抑えることができる。また、付勢手段５６の付勢力は、付勢解除手段５８により操作部１６が第３位置から第２位置に向かう範囲では操作部１６に作用しない為、操作部１６の操作の自由度を確保することができる。
【００９９】
また、本実施形態では本発明に係る付勢手段５６、付勢解除手段５８及び回転停止手段７２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１００】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１０１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０２】
１０…プリンター、１２…装置本体、１４…スキャナ部、１６…操作部、１６ａ、４８…回動軸、１６ｂ、６４ａ、６６ａ、６８ａ、８０ａ…ギア部、１６ｃ、６４ｅ…切欠き部、１６ｄ…背面側部材、１８…表示手段、２０、２４、３０…カバー、２２…排紙トレイ、２６…媒体案内経路、２８…原稿台、３２…媒体収容部、３４…媒体搬送経路、３６…ピックアップローラー、３８…反転ローラー、４０ａ、４０ｂ、４０ｃ…従動ローラー、４２…搬送ローラー対、４４…記録部、４６…排出ローラー対、５０…キャリッジ、５２…記録ヘッド、５４…媒体案内部材、５６…付勢手段、５６ａ…一端部、５６ｂ…他端部、５８…付勢解除手段、６０…姿勢保持手段、６２…駆動軸、６２ａ…係合部、６２ｂ…駆動ギア、６２ｃ、６８ｂ…軸部、６２ｄ、６６ｇ…位相決め歯、６２ｅ…治具ピン取付穴、６４…第１ギア、６４ｂ…凸状部、６４ｃ、６６ｃ…軸受け、６４ｄ、６６ｄ…位相決め穴、６６…第２ギア、６６ｂ…凹状部、６６ｅ、６６ｆ…仕切り壁、６７…軸部材、６８…第３ギア、６８ｃ…被回転規制部、７０、８８…軸受部材、７０ａ…回転規制部、７２…回転停止手段、７４…支持部材、７４ａ…係合部、７４ｂ…軸受部、７６…第１の位相決め部、７８…第２の位相決め部、８０…ダンパー、８２…ワンウェイクラッチ、８４、８６…治具ピン、Ａ…矢印
【図１】
0006687888.tif 000002
【図２】
0006687888.tif 000003
【図３】
0006687888.tif 000004
【図４】
0006687888.tif 000005
【図５】
0006687888.tif 000006
【図６】
0006687888.tif 000007
【図７】
0006687888.tif 000008
【図８】
0006687888.tif 000009
【図９】
0006687888.tif 000010
【図１０】
0006687888.tif 000011
【図１１】
0006687888.tif 000012
【図１２】
0006687888.tif 000013
【図１３】
0006687888.tif 000014
【図１４】
0006687888.tif 000015
【図１５】
0006687888.tif 000016
【図１６】
0006687888.tif 000017
【図１７】
0006687888.tif 000018
【図１８】
0006687888.tif 000019
【図１９】
0006687888.tif 000020
【図２０】
0006687888.tif 000021
【図２１】
0006687888.tif 000022